(57)【特許請求の範囲】
【請求項１】
ベースマシン前部に起伏可能に立設したリーダの下部にチェーン駆動装置を配設し、該リーダの前側に設けたガイドパイプに沿って移動するガイドギブを備えたオーガを、前記チェーン駆動装置からリーダ上部のスプロケットを介してリーダ前側に掛け回されたチェーンにて昇降する杭打機において、前記ベースマシン前部にサブリーダを起伏可能に立設し、該サブリーダの前側にガイドパイプを設け、該サブリーダの前部に前記リーダを昇降可能に配置し、該リーダの下部に前記サブリーダのガイドパイプに沿って移動する第２ガイドギブを固設するとともに、リーダの後側にガイドパイプを設け、該ガイドパイプと前記サブリーダのガイドパイプとに沿って移動する第３ガイドギブを前記チェーンに固設し、前記リーダの上昇を規制する第１ロック機構と、前記第３ガイドギブの移動を規制する第２ロック機構とを配設したことを特徴とする杭打機。
【発明の詳細な説明】
【０００１】
【発明の属する技術分野】
本発明は、杭打機に関し、詳しくはリーダの前側に配置されたオーガを昇降する杭打機に関する。
【０００２】
【従来の技術】
杭打機では、リーダの前側に配置されたオーガにオーガスクリューを取付け、オーガスクリューを回転しながらオーガを下降させて掘削作業を行うが、オーガを昇降する構造として、例えば、図８に示されるように、ベースマシン１前部に起伏可能に立設したリーダ２の下部にチェーン駆動装置３を配設し、該リーダ２の前側に設けたガイドパイプ４に沿って移動するガイドギブ５を備えたオーガ６を、前記チェーン駆動装置３からリーダ２上部のスプロケット（図示せず）を介してリーダ２前側に掛け回されたチェーン７にて昇降するチェーン駆動方式と、ベースマシン前部にサブリーダを起伏可能に立設し、オーガをリーダに固定してサブリーダのシリンダにてリーダを昇降するサブリーダ方式とがある。
【０００３】
【発明が解決しようとする課題】
ところが、チェーン駆動方式では、オーガの昇降ストロークを大きくして掘削長を長くとろうとすると、リーダが長くなり作業時の安定性に影響がでる。また、杭打機の輸送時には、リーダを後方に倒してベースマシン上に寝かせるが、リーダが長いとリーダがベースマシン後方に突出するため小回りが利かない。さらに、高さ制限がある現場でリーダを短くしたい場合、チェーンの処理があるため大変な手間と時間を要する。
【０００４】
また、サブリーダ方式では、シリンダを備えるためベースマシン前側の重量が増すので、安定性を確保するためにベースマシン後部のカウンターウェイトを増やす等の処置が必要となって車体重量が増加する。しかも、シリンダでリーダを昇降するので、オーガの昇降ストロークを大きくとれない。
【０００５】
そこで本発明は、オーガの昇降ストロークを大きくとれるとともに、ベースマシン前側の重量を軽減し、輸送状態でコンパクトにできる杭打機を提供することを目的としている。
【０００６】
【課題を解決するための手段】
上記した目的を達成するため、本発明は、ベースマシン前部に起伏可能に立設したリーダの下部にチェーン駆動装置を配設し、該リーダの前側に設けたガイドパイプに沿って移動するガイドギブを備えたオーガを、前記チェーン駆動装置からリーダ上部のスプロケットを介してリーダ前側に掛け回されたチェーンにて昇降する杭打機において、前記ベースマシン前部にサブリーダを起伏可能に立設し、該サブリーダの前側にガイドパイプを設け、該サブリーダの前部に前記リーダを昇降可能に配置し、該リーダの下部に前記サブリーダのガイドパイプに沿って移動する第２ガイドギブを固設するとともに、リーダの後側にガイドパイプを設け、該ガイドパイプと前記サブリーダのガイドパイプとに沿って移動する第３ガイドギブを前記チェーンに固設し、前記リーダの上昇を規制する第１ロック機構と、前記第３ガイドギブの移動を規制する第２ロック機構とを配設したことを特徴としている。
【０００７】
【発明の実施の形態】
以下、本発明を、図面に示す実施形態例に基づいて、さらに詳細に説明する。杭打機１０は、ベースマシン１１の前部に立設したサブリーダ１２を起伏シリンダ１３にて起伏可能に支持し、該サブリーダ１２の前部にリーダ１４を昇降可能に配置している。
【０００８】
サブリーダ１２は、ベースマシン１０の全長と略同長に、また、リーダ１４は、サブリーダ１２の全長と略同長にそれぞれ形成されており、サブリーダ１２の前側には、ガイドパイプ１５が略全長に亘って設けられている。
【０００９】
リーダ１４には、その前側にオーガ１６昇降用の第１ガイドパイプ１７が、後側には、第２ガイドパイプ１８がそれぞれ設けられ、また、リーダ１４の下部には、チェーン駆動装置１９が配設され、リーダ１４の上部には、スプロケット２０が設けられており、チェーン駆動装置１９から巻出されたチェーン２１がリーダ１４の後側からスプロケット２０を介してリーダ１４の前側に掛け回され、該チェーン２１の下端はオーガ１６に連結されている。
【００１０】
オーガ１６は、前記第１ガイドパイプ１７に係合して該第１ガイドパイプ１７に沿って移動する第１ガイドギブ２２を備えており、また、リーダ１４の下部には、前記サブリーダ１２のガイドパイプ１５に係合して該ガイドパイプ１５に沿って移動する第２ガイドギブ２３が固設されている。
【００１１】
リーダ１４の後側に配置されたチェーン２１には、サブリーダ１２のガイドパイプ１５とリーダ１４の第２ガイドパイプ１８にそれぞれ係合して、ガイドパイプ１５及び第２ガイドパイプ１８に沿って移動する第３ガイドギブ２４が固設されている。
【００１２】
この第３ガイドギブ２４は、図１に示されるように、リーダ１４を下方へ下げてサブリーダ１２とリーダ１４を略同長とし、オーガ１６をリーダ１４の下端に下げた際に、サブリーダ１２とリーダ１４の上部に位置するように設けられている。
【００１３】
サブリーダ１２の下端には、リーダ１４の上昇を規制する第１ロック機構２５が配設されている。この第１ロック機構２５は、シリンダ２６の作動により出没するロックピン２７をリーダ１４下端のピン孔２８に挿入してリーダ１４の上昇を規制する。
【００１４】
また、サブリーダ１２の上部には、前記第３ガイドギブ２４の移動を規制する第２ロック機構２９が配設されている。この第２ロック機構２９は、シリンダ３０の作動により出没するロックピン３１を第３ガイドギブ２４に係合して、第３ガイドギブ２４の移動を規制する。
【００１５】
このように構成された杭打機１０は、図１に示される基本状態から、第１ロック機構２５をフリーにして第２ロック機構２９にて第３ガイドギブ２４の移動を規制し、チェーン駆動装置１９にてチェーン２１を巻込むと、図２に示されるように、リーダ１４が上昇するとともに、オーガ１６が引上げられる。
【００１６】
また、図１に示される基本状態から、第１ロック機構２５にてリーダ１４の上昇を規制して第２ロック機構２９をフリーにし、チェーン駆動装置１９にてチェーン２１を巻込むと、図３に示されるように、リーダ１４は上昇せずに、オーガ１６のみが引上げられる。
【００１７】
したがって、第１ロック機構２５及び第２ロック機構２９のロック切換えとチェーン２１の巻込み・巻出しにより、リーダ１４の伸縮とオーガ１６の昇降とが行えるから、必要以上にリーダ１４を高くすることなく作業ができ、また、オーガ１６の昇降ストロークを大きくとれる。さらに、高さ制限がある現場では、リーダ１４を伸長せずに作業ができ、また、ベースマシン１１前側の重量を軽減できて安定性が良い。しかも、輸送時には、図７に示されるように、ベースマシン１１上部に寝かせたサブリーダ１２及びリーダ１４の長さが短くてすむので、小回りが利いて狭い現場への搬入が容易である。
【００１８】
【発明の効果】
以上説明したように、本発明の杭打機は、ベースマシン前部にサブリーダを起伏可能に立設し、サブリーダの前側にガイドパイプを設け、サブリーダの前部にリーダを昇降可能に配置し、リーダの下部にサブリーダのガイドパイプに沿って移動する第２ガイドギブを固設するとともに、リーダの下部にチェーン駆動装置を配設し、該リーダの前側に設けたガイドパイプに沿って移動するガイドギブを備えたオーガを昇降するチェーンを、チェーン駆動装置からリーダ上部のスプロケットを介してリーダ前側に掛け回し、リーダの後側にガイドパイプを設け、ガイドパイプとサブリーダのガイドパイプとに沿って移動する第３ガイドギブをチェーンに固設し、リーダの上昇を規制する第１ロック機構と、第３ガイドギブの移動を規制する第２ロック機構とを配設したので、第１ロック機構をフリーにして第２ロック機構にて第３ガイドギブの移動を規制し、チェーン駆動装置にてチェーンを巻込むと、リーダが上昇するとともに、オーガが引上げられる。また、第１ロック機構にてリーダの上昇を規制して第２ロック機構をフリーにし、チェーン駆動装置にてチェーンを巻込むと、リーダは上昇せずに、オーガのみが引上げられる。
【００１９】
したがって、第１ロック機構及び第２ロック機構のロック切換えとチェーンの巻込み・巻出しにより、リーダの伸縮とオーガの昇降とが行えるから、必要以上にリーダを高くすることなく作業ができ、また、オーガの昇降ストロークを大きくとれる。さらに、高さ制限がある現場では、リーダを伸長せずに作業ができ、また、ベースマシン前側の重量を軽減できて安定性が良い。しかも、輸送時には、ベースマシン上部に寝かせたサブリーダ及びリーダの長さが短くてすむので、小回りが利いて狭い現場への搬入が容易である。
【図面の簡単な説明】
【図１】  本発明の一実施形態例を示す杭打機の側面図である。
【図２】  リーダを伸長した状態の杭打機の側面図である。
【図３】  リーダを縮小した状態の杭打機の側面図である。
【図４】  図１のＩＶ−ＩＶ矢視図である。
【図５】  第２ロック機構の断面図である。
【図６】  図１のＶＩ−ＶＩ断面図である。
【図７】  輸送状態を示す杭打機の側面図である。
【図８】  従来の杭打機の側面図である。
【符号の説明】
１０…杭打機、１１…ベースマシン、１２…サブリーダ、１４…リーダ、１５…サブリーダ１２のガイドパイプ、１６…オーガ、１７…リーダ１４の第１ガイドパイプ、１８…リーダ１４の第２ガイドパイプ、１９…チエーン駆動装置、２０…スプロケット、２１…チェーン、２２…オーガ１６の第１ガイドギブ、２３…第２ガイドギブ、２４…第３ガイドギブ、２５…第１ロック機構、２９…第２ロック機構
【図１】
0003678513.tif 000002
【図２】
0003678513.tif 000003
【図３】
0003678513.tif 000004
【図４】
0003678513.tif 000005
【図５】
0003678513.tif 000006
【図６】
0003678513.tif 000007
【図７】
0003678513.tif 000008
【図８】
0003678513.tif 000009